(57)【要約】【課題】  読み取り処理を行うページと読み取り処理を行わないページとが混在する書類束の読み取り処理を行う場合に、ページ入力にかかる使用者の負担を軽減する。【解決手段】  部分読取モードが選択された場合に、入力されたページの読み取りを行うか、あるいは、入力されなかったページの読み取りを行うかを、使用者が選択できるようにする。【選択図】  図１
2005303901.tif 000002
【特許請求の範囲】
【請求項１】
原稿を読み取って画像データに変換する読取処理を行う読取手段と、ページ番号を入力する入力手段とを有し、読み取りを必要とするページの原稿に対してのみ読取処理を行う部分読取モードを備えた画像読取装置において、
上記入力手段に入力されたページのみ読取処理を行う入力ページ実行処理、または、上記入力手段に入力されたページ以外のページの読取処理を行う入力ページ除外処理、のいずれの入力ページ処理を行うかを選択して実行する制御部を備えていることを特徴とする画像読取装置。
【請求項２】
上記入力手段は、上記いずれの入力ページ処理を行うかに関する使用者の指示を受け付け、
上記制御部は、上記入力手段に入力された使用者の指示に基づいて、上記入力ページ処理を選択することを特徴とする請求項１に記載の画像読取装置。
【請求項３】
複数の部分読取モードと、上記各部分読取モード毎に上記いずれの入力ページ処理を選択するかを予め設定した情報とを記憶する記憶部を備え、
上記入力手段は、上記いずれの部分読取モードを実行するかに関する使用者の指示を受け付け、
上記制御部は、上記入力手段を介して指示された部分読取モードに応じて、上記予め設定された入力ページ処理を選択することを特徴とする請求項１に記載の画像読取装置。
【請求項４】
上記複数の部分読取モードの一つとして、インデックス付き原稿を含む複数ページの原稿の読取処理を行うインデックス処理モードを含み、
上記制御部は、上記インデックス処理モードが指示された場合に、上記入力ページ除外処理を選択することを特徴とする請求項３に記載の画像読取装置。
【請求項５】
上記入力手段は、上記各部分読取モードに対する入力ページ処理の設定に関する使用者の設定指示を受け付け、
上記制御部は、上記入力手段に入力された使用者の設定指示に基づいて、上記各部分読取モードに対する入力ページ処理の設定を上記記憶部に記憶させることを特徴とする請求項３または４に記載の画像読取装置。
【請求項６】
情報を表示する表示手段を備え、
上記制御部は、当該表示手段に、上記入力手段に対する使用者の操作を支援するための案内表示を表示させることを特徴とする請求項１〜５のいずれか１項に記載の画像読取装置。
【請求項７】
請求項１〜６のいずれか１項に記載の画像読取装置を備えていることを特徴とする画像形成装置。
【請求項８】
読み取りを必要とするページの原稿に対してのみ読取処理を行う画像読取方法において、
入力されたページのみ読取処理を行う入力ページ実行処理、または、入力されたページ以外のページの読取処理を行う入力ページ除外処理、のいずれの入力ページ処理を行うかを選択して実行することを特徴とする画像読取方法。
【請求項９】
画像読取装置に備えられたコンピューターを、請求項１〜６のいずれか１項に記載の画像読取装置における制御部として機能させるための画像読取プログラム。
【請求項１０】
請求項９に記載の画像読取プログラムを記録した記録媒体。
【発明の詳細な説明】
【技術分野】
【０００１】
本発明は、原稿画像の読み取る画像読取装置、および、この画像読取装置を備え、シートに対して画像の形成を行う画像形成装置、画像読取方法、画像読取プログラムとその記録媒体に関する。
【背景技術】
【０００２】
従来より、書類等をファイリングする場合、必要な書類を容易に取り出すために、インデックス（タブ）付きシートが用いられている。
【０００３】
ところで、インデックス（タブ）付きシートを挿入してファイリングされた書類をファイルから取り出して、複写機で複写したり、あるいはＦＡＸで送信したりする場合、インデックス（タブ）付きシートを複写や送信せずに処理することが多い。その場合には、通常、使用者は、書類束からインデックス（タブ）付きシートを抜き取った後、複写機やＦＡＸに読み取り処理を行わせ、読み取り完了後に元の状態になるようにインデックス（タブ）付きシートを元の挿入位置に挿入してファイルに戻すという作業を行う。
【０００４】
しかしながら、このような作業を行う場合、読み取り処理後にインデックス（タブ）付きシートを元の状態に戻す時に、元の挿入位置がわからなくなることがある。このため、使用者は、一度に全ての書類束を一括して処理せず、書類束を分割して複数回に分けて読み取り処理を行うという方法を取ることが多い。したがって、インデックス（タブ）付きシートが挿入された書類束の読み取り処理は、非常に効率が悪い。
【０００５】
そこで、例えば、特許文献１には、複写しないシートあるいはＦＡＸ伝送しないシートを抜き取らずに一括して読み取り処理を行えるように、読み取り処理するページを予め入力し、その入力された情報に基づいて読み取り処理を行う複写機が開示されている。
【特許文献１】特開平３−１１９３７０号公報（公開日：１９９１年５月２１日）
【発明の開示】
【発明が解決しようとする課題】
【０００６】
しかしながら、特許文献１では、読み取り処理を行わないページ数が少ない場合（読み取り処理するページが多い場合）、使用者（オペレーター）が入力するページ数が多くなってしまう。例えば、図１０（ａ）に示すように、白黒原稿とカラー原稿とが混在する書類束のうち、白黒原稿のみを読み取り処理する場合、使用者は、カラー原稿よりもページ数が多い白黒原稿のページ番号を全て入力しなければならない。このため、使用者にとって非常に面倒な作業が必要となる。
【０００７】
また、これとは逆に、読み取り処理しないページを入力するように設定することが考えられるが、この場合には、逆に、読み取り処理しないページが多い場合（読み取り処理するページが少ない場合）に、使用者が入力するページ数が多くなってしまう。例えば、図１０（ｂ）に示すように、白黒原稿とカラー原稿とが混在する書類束のうち、白黒原稿のみを読み取り処理する場合、使用者は、白黒原稿よりもページ数が多いカラー原稿のページ番号を全て入力しなければならない。したがって、この場合にも、使用者にとって非常に面倒な作業が必要となる。
【０００８】
本発明は、上記の問題点に臨みてなされたものであり、その目的は、読み取り処理を行うページと読み取り処理を行わないページとが混在する書類束の読み取り処理を行う場合に、ページ入力にかかる使用者の負担を軽減できる画像読取装置および、この画像読取装置を備えた画像形成装置、画像読取方法、画像読取プログラムとその記録媒体を提供することにある。
【課題を解決するための手段】
【０００９】
本発明の画像読取装置は、上記の課題を解決するために、原稿を読み取って画像データに変換する読取処理を行う読取手段と、ページ番号を入力する入力手段とを有し、読み取りを必要とするページの原稿に対してのみ読取処理を行う部分読取モードを備えた画像読取装置において、上記入力手段に入力されたページのみ読取処理を行う入力ページ実行処理、または、上記入力手段に入力されたページ以外のページの読取処理を行う入力ページ除外処理、のいずれの入力ページ処理を行うかを選択して実行する制御部を備えていることを特徴としている。
【００１０】
上記の構成によれば、部分読取を行う場合に、原稿の読み取りを行うページまたは原稿の読み取りを行わないページのいずれを上記入力手段に入力するかを選択することができる。したがって、読み取り処理するページが読み取り処理しないページよりも多い場合であっても、逆に、読み取り処理するページが読み取り処理しないページよりも少ない場合であっても、ページ入力作業にかかる使用者の負担を軽減できる。
【００１１】
また、上記入力手段は、上記いずれの入力ページ処理を行うかに関する使用者の指示を受け付け、上記制御部は、上記入力手段に入力された使用者の指示に基づいて、上記入力ページ処理を選択する構成としてもよい。
【００１２】
上記の構成によれば、読み取り処理するページと読み取り処理しないページとの比率に応じて、それに適した入力ページ処理を使用者が選択できる。したがって、読み取り処理するページが読み取り処理しないページよりも多い場合であっても、逆に、読み取り処理するページが読み取り処理しないページよりも少ない場合であっても、ページ入力作業にかかる使用者の負担を軽減できる。
【００１３】
また、複数の部分読取モードと、上記各部分読取モード毎に上記いずれの入力ページ処理を選択するかを予め設定した情報とを記憶する記憶部を備え、上記入力手段は、上記いずれの部分読取モードを実行するかに関する使用者の指示を受け付け、上記制御部は、上記入力手段を介して指示された部分読取モードに応じて、上記予め設定された入力ページ処理を選択する構成としてもよい。
【００１４】
上記の構成によれば、各部分読取モード毎に上記いずれの入力ページ処理を行うかを予め設定されている。このため、使用者は、いずれの部分読取モードを行うか選択するだけで、その部分読取モードに適した入力ページ処理が上記制御部によって自動選択される。したがって、ページ入力作業にかかる使用者の負担を軽減できる。
【００１５】
また、上記複数の部分読取モードの一つとして、インデックス付き原稿を含む複数ページの原稿の読取処理を行うインデックス処理モードを含み、上記制御部は、上記インデックス処理モードが指示された場合に、上記入力ページ除外処理を選択する構成としてもよい。
【００１６】
通常、インデックス付き原稿を含む書類束では、インデックス付き原稿よりも通常の原稿の方が、ページ数が多い。このため、インデックス処理モードが選択された場合に、上記入力ページ除外処理を選択するように設定しておくことにより、読み取り処理に対する使用者の負担をより軽減できる。
【００１７】
また、上記入力手段は、上記各部分読取モードに対する入力ページ処理の設定に関する使用者の設定指示を受け付け、上記制御部は、上記入力手段に入力された使用者の設定指示に基づいて、上記各部分読取モードに対する入力ページ処理の設定を上記記憶部に記憶させる構成としてもよい。
【００１８】
上記の構成によれば、使用者は、使用環境に応じて、各部分読取モードに適した入力ページ処理を予め設定しておくことができる。したがって、使用者は、部分処理を行う際、いずれの部分読取モードを行うか選択するだけで、その部分読取モードに適した入力ページ処理を上記制御部に選択させることができる。したがって、ページ入力作業にかかる使用者の負担をより軽減できる。
【００１９】
また、情報を表示する表示手段を備え、上記制御部は、当該表示手段に、上記入力手段に対する使用者の操作を支援するための案内表示を表示させる構成としてもよい。
【００２０】
上記の構成によれば、上記入力手段に対する使用者の操作を支援するための案内表示が、上記表示手段に表示される。したがって、使用者はこの案内表示を参照して入力操作を行うことができるので、ページ入力作業にかかる使用者の負担をより軽減できる。
【００２１】
本発明の画像形成装置は、上記の課題を解決するために、上記したいずれかの画像読取装置を備えている。上記の構成によれば、上記した各画像読取装置の機能を画像形成装置において実現できる。
【００２２】
本発明の画像読取方法は、読み取りを必要とするページの原稿に対してのみ読取処理を行う画像読取方法において、入力されたページのみ読取処理を行う入力ページ実行処理、または、入力されたページ以外のページの読取処理を行う入力ページ除外処理、のいずれの入力ページ処理を行うかを選択して実行することを特徴としている。
【００２３】
上記の方法によれば、部分読取を行う場合に、原稿の読み取りを行うページまたは原稿の読み取りを行わないページのいずれを入力するかを選択することができる。このため、読み取り処理するページが読み取り処理しないページよりも多い場合であっても、逆に、読み取り処理するページが読み取り処理しないページよりも少ない場合であっても、ページ入力作業にかかる使用者の負担を軽減できる。
【００２４】
本発明の画像読取プログラムは、画像読取装置に備えられたコンピューターを、上記したいずれかの画像読取装置における制御部として機能させるためのものである。
【００２５】
上記のようなコンピューターにこの画像読取プログラムを読み取らせることで、上記したいずれかの画像読取装置における制御部の処理を、そのコンピューターによって実現することが可能となる。
【００２６】
本発明の記録媒体は、上記の画像読取プログラムを記録した記録媒体である。これらの画像読取プログラムをコンピューターによって読取可能な記録媒体に記録させておくことで、画像読取プログラムの保存・流通を容易に行えるようになる。さらに、この記録媒体を読み込ませることで、コンピューターによって、上記したいずれかの画像読取装置における制御部の処理を実施できる。
【発明の効果】
【００２７】
以上のように、本発明の画像読取装置は、上記入力手段に入力されたページのみ読取処理を行う入力ページ実行処理、または、上記入力手段に入力されたページ以外のページの読取処理を行う入力ページ除外処理、のいずれの入力ページ処理を行うかを選択して実行する制御部を備えている。
【００２８】
それゆえ、読み取り処理するページが読み取り処理しないページよりも多い場合であっても、逆に、読み取り処理するページが読み取り処理しないページよりも少ない場合であっても、ページ入力作業にかかる使用者の負担を軽減できる。
【００２９】
本発明の画像形成装置は、上記したいずれかの画像読取装置を備えている。上記の構成によれば、上記した各画像読取装置の機能を画像形成装置において実現できる。
【００３０】
本発明の画像読取方法は、入力されたページのみ読取処理を行う入力ページ実行処理、および、入力されたページ以外のページの読取処理を行う入力ページ除外処理、のいずれの入力ページ処理を行うかを選択して実行する。
【００３１】
それゆえ、読み取り処理するページが読み取り処理しないページよりも多い場合であっても、逆に、読み取り処理するページが読み取り処理しないページよりも少ない場合であっても、ページ入力作業にかかる使用者の負担を軽減できる。
【００３２】
本発明の画像読取プログラムは、画像読取装置に備えられたコンピューターを、上記したいずれかの画像読取装置における制御部として機能させるためのものである。
【００３３】
上記のようなコンピューターにこの画像読取プログラムを読み取らせることで、上記したいずれかの画像読取装置における制御部の処理を、そのコンピューターによって実現することが可能となる。
【００３４】
本発明の記録媒体は、これらの画像読取プログラムを記録した記録媒体である。これらの画像読取プログラムをコンピューターによって読取可能な記録媒体に記録させておくことで、画像読取プログラムの保存・流通を容易に行えるようになる。さらに、この記録媒体を読み込ませることで、コンピューターによって、上記したいずれかの画像読取装置における制御部の処理を実施できる。
【発明を実施するための最良の形態】
【００３５】
本発明の一実施の形態について説明する。
図２は、本実施の形態に係る画像形成装置１の断面図である。図３は、画像形成装置１の概略構成を示す機能ブロック図である。図４は、操作部５の構成を示す平面図である。
【００３６】
画像形成装置１は、原稿の画像を読み取り、シートに対して画像の形成を行うものである。なお、画像形成装置１では、読み取り処理を行うページと読み取り処理を行わないページとが混在する複数の原稿からなる書類束に対して、使用者が、読み取り処理を行うページまたは読み取り処理を行わないページのどちらのページ番号を入力するかを選択できるようになっている。また、画像形成装置１では、インデックス（タブ）付きシートに対しても、通常のシートと同様、搬送、搬出、読み取り等の処理を行えるようになっている。
【００３７】
図２に示すように、画像形成装置１は、シート搬送部（搬送手段）２、画像読取部３、画像形成部４、および、図示していない操作部５（図３および図４参照）、給紙部６、記憶部（記憶手段）７、制御部６０を備えている。なお、シート搬送部２、画像読取部３、操作部５、制御部６０で画像読取装置を形成している。
【００３８】
シート搬送部２は、シート供給トレイ６１に載置されたシート状の原稿（以下、シートと称する）を１枚づつ所定の原稿読取位置まで搬送し、原稿の読み取りが終了した後に第１排出トレイ７２または第２排出トレイ７３に排出する機能を有する装置である。
【００３９】
画像読取部３は、スキャナ装置として用いられるものであって、読み取り対象となるシートに形成された画像を読み取り、画像データに変換する。また、この画像読取部３は、原稿台（プラテンガラス）３１、光源ユニット３２、ミラーユニット３３、および、ＣＣＤユニット３４を備えている。
【００４０】
原稿台３１は、シート搬送部２により搬送されたシートを、ＣＣＤユニット３４等で読み取り可能とするために設けられた透明の部材である。
【００４１】
光源ユニット３２は、光源３２ａ、ミラー３２ｂ、スリット３２ｃ、および、ミラー３２ｄを備えている。ミラー３２ｂは、光源３２ａからの照射光を、原稿台３１上の所定の位置に集光させる。また、スリット３２ｃは、上記照射光のうち、シートによって反射した反射光のみを通過させる。さらに、ミラー３２ｄは、スリット３２ｃを通過した反射光の光路を９０度変更する。
【００４２】
ミラーユニット３３は、一対のミラー３３ａ・３３ｂを備えている。そして、この一対のミラー３３ａ・３３ｂにより、光源ユニット３２のミラー３２ｄから出射された光の光路を１８０度変更する。
【００４３】
ＣＣＤユニット３４は、結像レンズ３４ａおよびイメージセンサ３４ｂを備えている。そして、ミラーユニット３３から出射された光が結像レンズ３４ａに入射することにより、イメージセンサ３４ｂが読み取った画像を認識する。
【００４４】
なお、同図に示す画像読取部３においては、光源ユニット３２が、シート搬送方向（副走査方向）に移動する構成である。この構成では、ミラーユニット３３も、光源ユニット３２の移動に伴い、光源ユニット３２と同方向に移動する。なお、ミラーユニット３３は、光源ユニット３２の移動速度に対して半分の速度で移動する。
【００４５】
また、光源ユニット３２、ミラーユニット３３、および、ＣＣＤユニット３４からなる光学系の代わりに、上述した、結像レンズ３４ａ、イメージセンサ３４ｂ、および、光源３２ａを用いて光学系を構成してもよい。
【００４６】
画像形成部４は、画像読取部３におけるＣＣＤユニット３４で取得した読取データ（画像データ）を基にして画像を形成するものである。画像形成部４は、図２に示すように、感光体ドラム４１、帯電器４２、レーザユニット４３、現像器４４、転写器４５、除電器４６、クリーニング器４７、定着ユニット４８、および、図示しない記憶装置等を備えている。なお、画像形成部４内においては、感光体ドラム４１の周囲に、帯電器４２、レーザユニット４３、現像器４４、転写器４５、除電器４６、および、クリーニング器４７が、この順で配置されている。
【００４７】
上記記憶装置は、例えばメモリで構成される。そして、この記憶装置には、ＣＣＤユニット３４で取得した読取データが記憶される。また、帯電器４２は、感光体ドラム４１の表面を所定の電位に帯電させる。
【００４８】
レーザユニット４３は、図示しない、半導体レーザ光源、ポリゴンミラー、およびｆ−θレンズ等で構成される。この半導体レーザ光源は、上記記憶装置から読み出したデータ、または、外部の装置から転送されてきたデータに応じて、レーザ光を出射する。そして、上記ポリゴンミラーは、この出射されたレーザ光を等角速度で偏光する。また、上記ｆ−θレンズは、上記偏光されたレーザ光が感光体ドラム４１上において等速度で偏光されるように、レーザ光を補正する。なお、レーザユニット４３による感光体ドラム４１へのレーザの照射は、帯電器４２による感光体ドラム４１の帯電後に行われる。
【００４９】
そして、このようなレーザの照射により、レーザユニット４３は、感光体ドラム４１の表面に、上記読み出したデータに対応した静電潜像を形成する。
【００５０】
なお、レーザユニット４３の代わりに、ＬＥＤやＥＬ等の発光素子アレイを備えた、光書込み用のヘッドユニットを用いてもよい。
【００５１】
現像器４４は、感光体ドラム４１の表面に形成された静電潜像に対してトナーを供給し、これにより、上記静電潜像を顕像化してトナー像を形成する。また、転写器４５は、現像器４４により感光体ドラム４１の表面に形成されたトナー像を、給紙部６から給紙されたシートに転写する。さらに、除電器４６は、感光体ドラム４１の表面の帯電をなくす。また、クリーニング器４７は、感光体ドラム４１の表面に残留した余分なトナーを回収する。
【００５２】
定着ユニット４８は、転写器４５により転写が行われたシートのトナー像を定着させる。
【００５３】
給紙部６は、シートを格納すると共に、トナー像を転写するために、画像形成部４にシートを搬送する。なお、トナー像が転写されたシートは、画像形成部用の排出トレイに排出される。
【００５４】
操作部５は、図３に示すように、操作入力部５２、および、表示部（表示手段）５３を備えている。
【００５５】
操作入力部（入力手段）５２は、使用者からの入力を受け付けるブロックである。そして、この操作入力部５２からの入力は制御部６０に送られる。
【００５６】
表示部（表示手段）５３は、制御部６０からの指示に応じて、操作入力部５２での入力状況、シート搬送部２の動作状況、画像読取部３の動作状況、あるいは、画像形成部４の動作状況などを表示する。
【００５７】
なお、画像形成装置１では、後で詳しく説明するが、シート供給トレイ６１に載置されたシートのうち、読み取り処理を行うシートのページ（ページ番号）または読み取り処理を行わないシートのページ（ページ番号）のいずれを入力するかを、使用者が設定できるようになっている。
【００５８】
なお、操作部５は、例えば、図４に示すような、パネル形状で構成されている。同図においては、パネルＰが、操作入力部５２の一部と表示部５３とを兼ねた構成例を示している。また、図４に示すように、操作部５は、操作入力部５２として、処理枚数や処理ページ番号などに関する指示を受け付ける入力キーＫ、処理の実行指示を受け付けるスタートボタン、設定条件を全て解除して初期状態に戻す全解除ボタンなどを備えている。なお、操作部５の構成は、これに限定されるものではない。
【００５９】
記憶部７は、画像形成装置１における各種読取処理モードに対応する情報を記憶するメモリである。制御部６０は、使用者が操作入力部５２を介して選択した読取処理モードに対応する情報を記憶部７から読み出し、各読取処理モードを実行するようになっている。また、記憶部７は、後述するように、各読取処理モードにおいて部分読取処理を行う場合のページ入力方法（入力ページ処理）を記憶することができる。なお、部分読取処理とは、シート供給トレイ６１に載置されたシートの一部について読み取り処理を行い、残りのシートについては読み取り処理を行わない処理である。
【００６０】
制御部６０は、画像形成装置１における全ての動作を制御する画像形成装置１の中枢部である。すなわち、制御部６０は、操作部５に対する使用者の指示、あるいは各検出器による検出結果、記憶部７に記憶されている各種読取処理モードに関する情報等に応じて、シート搬送部２、画像読取部３、画像形成部４、操作部５、給紙部６、記憶部７における各構成要素の動作を制御する。
【００６１】
次に、上記シート搬送部２の詳細について、図５に基づいて説明する。
図５は、シート搬送部２の断面図である。シート搬送部２は、この図に示すように、シート供給トレイ６１、シート検出器６２、ピックアップローラ６３、給紙ローラ６４、分離ローラ６５、湾曲搬送路６６、シート搬送タイミング検出器６７、レジストローラ６８、搬送ベルト６９、反転切換フラッパ７０、反転ローラ７１、第１排出トレイ（第１のシート排出手段）７２、第２排出トレイ（第２のシート排出手段）７３、第１排出トレイ動作部（整合手段）７４、第１排出トレイ位置検出器７５、シート長検出器７６を備えている。
【００６２】
ここで、シート供給トレイ６１、シート検出器６２、ピックアップローラ６３、給紙ローラ６４、および、分離ローラ６５が、シート供給手段を構成する。また、シート搬送タイミング検出器６７、レジストローラ６８、搬送ベルト６９、および、反転ローラ７１が、シート搬送手段を構成する。
【００６３】
なお、操作部５への使用者の指示、あるいは、シート検出器６２、シート搬送タイミング検出器６７、第１排出トレイ位置検出器７５、および、シート長検出器７６による検出結果は、制御部６０に送られるようになっている。そして、制御部６０は、操作部５からの入力信号、あるいは上記各検出器からの入力信号に応じて、ピックアップローラ６３、給紙ローラ６４、分離ローラ６５、レジストローラ６８、搬送ベルト６９、反転切換フラッパ７０、反転ローラ７１、および、第１排出トレイ動作部７４等の動作を制御する。
【００６４】
シート供給トレイ６１は、図５に示すように、読取対象となるシートが複数枚、載置可能なトレイである。また、シート検出器６２は、シート供給トレイ６１にシートが載置されているか否かを検出し、この検出結果を制御部６０に送信する。
【００６５】
ピックアップローラ６３は、シート供給トレイ６１に載置されたシートを、基本的に一枚づつ取得する。なお、同図に示す、ピックアップローラ６３は、シート供給トレイ６１に載置されたシートの内、上面に載置されているシートから順に取得する。
【００６６】
ただし、ピックアップローラ６３は、その機構上、複数毎のシートを同時に取得するおそれもある。このため、給紙ローラ６４によってその下流側にある湾曲搬送路６６に対してシートを搬送しつつ、給紙ローラ６４に対向して配された分離ローラ６５を用いて、一度に搬送されるシートを１枚だけとするようになっている。
【００６７】
レジストローラ６８は、シート搬送タイミング検出器６７で検出される結果を基に、このレジストローラ６８の下流側にある搬送ベルト６９に対するシートの供給タイミングを調整する。つまり、レジストローラ６８は、上述した画像読取部３の原稿台３１にシートを送るタイミングを調整するローラである。
【００６８】
なお、より詳細には、シート搬送タイミング検出器６７の検出結果は、一旦、制御部６０に入力され、この制御部６０が上記検出結果を基にしてレジストローラ６８の動作を制御する。
【００６９】
搬送ベルト６９は、レジストローラ６８から供給されたシートを、原稿台３１に沿って搬送する。より詳しくは、画像読取部３におけるシートの読取方法では、搬送ベルト６９が、まず、シートを所定の位置まで搬送し、この所定の位置でシートの搬送を一旦停止させる。そして、この所定の位置で、画像読取部３によるシートの読み取りが行なわれる。また、シートの読み取りが行われた後は、搬送ベルト６９によるシートの搬送が再開される。
【００７０】
反転切換フラッパ７０は、搬送ベルト６９により搬送されたシートを、第１排出トレイ７２に排出するか、あるいは、第２排出トレイ７３に排出するかを切換える装置である。より詳しくは、反転切換フラッパ７０は、移動可能に構成されており、第１の切換位置（図５の実線位置）をとることにより第１排出トレイ７２にシートを排出でき、第２の切換位置（図５の破線位置）をとることにより第２排出トレイ７３にシートを排出可能となっている。なお、反転切換フラッパ７０では、制御部６０からの指示に応じて上記の切替えが行われる。
【００７１】
また、上記第２排出トレイ７３は、第２排出トレイ７３のシート搬送方向における下流側が上流側に対して高くなるようになっている。
【００７２】
なお、本明細書では、第２排出トレイ７３（または、第１排出トレイ７２）のシート搬送方向における下流側（または上流側）を、単に、第２排出トレイ７３（または、第１排出トレイ７２）の下流側（または上流側）と記載する。
【００７３】
第２排出トレイ７３にシートを排出する際には、反転ローラ７１を用いてシートが搬送される。ここで、第２排出トレイ７３にシートが排出される場合には、搬送ベルト６９によりシートが搬送されているときのシート状態と異なるシート状態、つまり、シートの表裏が反転した状態でシートが排出されることになる。すなわち、シートは、シート供給トレイ６１に載置されているときと同じ面を向いた状態で排出される。
【００７４】
一方、第１排出トレイ７２にシートを排出する際には、搬送ベルト６９によりシートが搬送されているときのシート状態と同じシート状態、つまり、シートの表裏が反転していない状態でシートが排出される。すなわち、シートは、シート供給トレイ６１に載置されているときと逆の面を向いた状態で排出される。なお、搬送後のシートを第１排出トレイ７２または第２排出トレイ７３のどちらに排出するかは、使用者の指示、各検知器の検出結果、読取処理モードに応じて予め設定された情報、などに応じて、制御部６０が決定するようになっている。
【００７５】
第１排出トレイ動作部７４は、駆動モータ７４ａと、駆動モータ７４ａの動作に従って回転駆動する従動部７４ｂとを備えている。ここで、従動部７４ｂは、第１排出トレイ７２側に固定された状態で設置されている。
【００７６】
また、第１排出トレイ動作部７４は、駆動モータ７４ａが回転することにより、従動部７４ｂを介して、第１排出トレイ７２に排出されるシートのシート面に対する、第１排出トレイ７２の取付角度を変化させる。つまり、第１排出トレイ動作部７４は、制御部６０からの指示に応じて第１排出トレイ７２を回動させることにより、第１排出トレイ７２の取付角度を変えられる。なお、この取付角度の変更は、所定の範囲内で行われる。
【００７７】
より詳しくは、第１排出トレイ動作部７４は、第１排出トレイ７２を、第１排出トレイ７２の下流側が上流側に対して高くなる第１の設定位置（図２の実線位置）と、上記第１排出トレイ７２の下流側が上流側に対して低くなる第２の設定位置（図２の破線位置）との間で移動させる。
【００７８】
なお、画像形成装置１では、シート供給トレイ６１にインデックス（タブ）付きシートを含む書類束を載置する場合、タブ部分が用紙の搬送方向下流側になるように載置するようになっている。また、画像形成装置１では、インデックス（タブ）付きシートを含む書類束を読み取り処理した場合、読み取り処理後の書類束を、第２の設定位置に設定した第１排出トレイ１に排出するようになっている。これにより、排出後のインデックス（タブ）付きシートにおける先端部（タブが形成された側面とは反対側の側面）と、通常のシートの先端部（側面）とを揃えて載置することができるようになっている。
【００７９】
第１排出トレイ位置検出器７５は、第１排出トレイ７２が、第２の設定位置にあるか否かを検出する機器である。また、シート長検出器７６は、搬送しているシートに関し、シートの搬送方向（画像読取装置における副走査方向）のシート長さを検出する機器である。これらの検出器による検出結果は、制御部６０に送られる。なお、以下の説明では、シートの搬送方向のシート長さを、単に、シート長として記載する。
【００８０】
（実施例１）
画像形成装置１における動作の一実施例について説明する。図１は、本実施例における画像形成装置１の処理の流れを示すフロー図である。
【００８１】
まず、制御部６０は、図１に示すように、部分読取モードが選択されているか否かを判断する（Ｓ１）。ここで、部分読取モードとは、シート供給トレイ６１に載置されたシートの一部について読み取り処理を行い、残りについては読み取り処理を行わないモードである。
【００８２】
なお、制御部６０は、使用者からの指示を待機しているとき、図４に破線で示すように、パネルＰ（表示部５３、操作入力部５２）に「部分処理」ボタンを表示させている。そして、使用者は、この「部分処理」ボタンに触れることにより、部分処理モードを選択できるようになっている。
【００８３】
そして、Ｓ１において部分処理モードが選択された場合、制御部６０は、パネルＰに、図６（ａ）に示すようなページ入力選択画面を表示させる（Ｓ２）。つまり、制御部６０は、パネルＰに「入力ページ除外」ボタン、「入力ページ実行」ボタン、「ＯＫ」ボタン、「戻る」ボタンを表示させる。また、制御部６０は、パネルＰに、使用者に対して指示の入力を促すメッセージ、すなわち、使用者の操作を支援するための案内表示を表示させる。そして、使用者は、「入力ページ除外」ボタンおよび「入力ページ実行」ボタンのいずれかを選択することにより、ページ入力方法を選択できるようになっている。より詳細には、使用者は、「入力ページ除外」ボタンまたは「入力ページ実行」ボタンに触れた後、「ＯＫ」ボタンに触れることにより、ページ入力方法を制御部６０に指示するようになっている。なお、「戻る」ボタンが選択された場合、制御部６０は、パネルＰの表示を図４に示した状態とし、Ｓ１の処理を行う。
【００８４】
次に、制御部６０は、読み取るページ入力が選択されたか否か、すなわち入力ページ実行が選択されたか否かを判断する（Ｓ３）。
【００８５】
そして、入力ページ実行が選択された場合、制御部６０は、パネルＰに、図６（ｂ）に示すような処理ページ入力画面、すなわち使用者に読み取り処理を行うページ番号の入力を促す（使用者の操作を支援するための案内表示を行う）とともに、入力されたページ番号を表示する表示画面を表示させる（Ｓ４）。なお、使用者は、図４に示した入力キーＫを介して読み取り処理を行うページ番号を入力できる。また、入力キーＫを介して入力されたページ番号は、処理ページ入力画面中に表示される。図６（ｂ）は、１ページおよび６ページが入力されている場合を表している。また、使用者は、読み取り処理を行うページ番号を入力した後、処理ページ入力画面中に表示されている「ＯＫ」ボタンに触れることにより、制御部６０に読み取るページを指示できるようになっている。
【００８６】
その後、制御部６０は、画像形成装置１における各部の動作を制御して、入力されたページのシート（原稿）を読み取る処理を行わせる（Ｓ５）。ここで、制御部６０は、入力されなかったページについては、画像読取部３による画像の読み取りを停止した状態で、シート搬送部２によってシートの搬送を行わせる。なお、制御部６０は、搬送したシートを、第１排出トレイ７２または第２排出トレイ７３に排出させる。そして、読み取ったページを出力させ（Ｓ９）、処理を終了する。
【００８７】
一方、Ｓ３で入力ページ除外が選択された場合、制御部６０は、パネルＰに、図６（ｃ）に示すような処理除外ページ入力画面、すなわち使用者に読み取り処理を行わないページ番号の入力を促す（使用者の操作を支援するための案内表示を行う）とともに、入力されたページ番号を表示する表示画面表示画面を表示させる（Ｓ６）。なお、使用者は、図４に示した入力キーＫを介して読み取り処理を行わないページ番号を入力できる。また、入力キーＫを介して入力されたページ番号は、処理除外ページ入力画面中に表示される。図６（ｃ）は、１ページ，４ページ，６ページが入力されている場合を表している。また、使用者は、読み取り処理を行わないページ番号を入力した後、処理除外ページ入力画面中に表示されている「ＯＫ」ボタンに触れることにより、制御部６０に読み取らないページを指示できるようになっている。
【００８８】
その後、制御部６０は、入力されたページ以外のシート（原稿）を読み取る処理を行わせる（Ｓ７）。なお、制御部６０は、入力されなかったページについては、画像読取部３による画像の読み取りを停止した状態で、シート搬送部２によってシートの搬送を行わせる。なお、制御部６０は、搬送されたシートを第１排出トレイ７２または第２排出トレイに排出させる。そして、読み取ったページを出力させ（Ｓ９）、処理を終了する。
【００８９】
なお、Ｓ１において部分処理モードが選択されなかった場合、制御部６０は、シート供給トレイ６１に載置されたシート（原稿）を全て読み取り（Ｓ８）、第１排出トレイ７２または第２排出トレイに排出させる。そして、読み取ったページを出力させ（Ｓ９）、処理を終了する。
【００９０】
以上のように、本発明の画像形成装置によれば、部分読取を行う場合に、原稿の読み取りを行うページまたは原稿の読み取りを行わないページのいずれを入力するかを、使用者が選択することができる。
【００９１】
このため、例えば、読み取り処理するページと読み取り処理しないページとの比率に応じて、それに適したページ入力方法を選択できる。したがって、読み取り処理するページが読み取り処理しないページよりも多い場合であっても、逆に、読み取り処理するページが読み取り処理しないページよりも少ない場合であっても、ページ入力作業にかかる使用者の負担を軽減できる。
【００９２】
（実施例２）
画像形成装置１における動作の他の実施例について説明する。本実施例では、部分読取モードとして複数の部分読取モードを選択可能であり、選択された部分読取モードに応じて、読み取り処理を行うページを入力するか、読み取り処理を行わないページを入力するかを予め設定できるようになっている。なお、本実施例では、上記複数の部分読取モードの一例として、インデックス（タブ）付きシートの読み取りを行うインデックス処理モードと、通常の部分読取モードとを備える場合について説明する。また、本実施例では、部分処理モードが選択された場合に、搬送後のシート（原稿）を、第２の設定位置に設定した第１排出トレイ７２に排出するようになっている。
【００９３】
図７は、本実施例における画像形成装置１の処理の流れを示すフロー図である。この図に示すように、制御部６０は、まず、部分読取モードが選択されているか否かを判断する（Ｓ２１）。
【００９４】
なお、制御部６０は、使用者からの指示を待機しているとき、図４に破線で示すように、パネルＰ（表示部５３、操作入力部５２）に「部分処理」ボタンを表示させている。そして、使用者は、この「部分処理ボタン」に触れることにより、部分処理モードを選択できるようになっている。
【００９５】
そして、Ｓ２１において部分処理モードが選択された場合、制御部６０は、パネルＰに、図８に示すような部分処理内容選択画面を表示させる（Ｓ２２）。つまり、制御部６０は、パネルＰに「インデックス処理」ボタン，「入力ページ除外」ボタン，「入力ページ実行」ボタン，「ＯＫ」ボタン，「戻る」ボタンと、使用者に対して指示の入力を促すメッセージ（使用者の操作を支援するための案内表示）とを表示させる。
【００９６】
そして、使用者は、「インデックス処理」ボタン、「入力ページ除外」ボタン、「入力ページ実行」ボタンのいずれかを選択することにより、どの部分読取モードで部分読取を行うかを指定できるようになっている。より詳細には、使用者は、「インデックス処理」ボタン、「入力ページ除外」ボタン、「入力ページ実行」ボタンのいずれかに触れた後、「ＯＫ」ボタンに触れることにより、実行する部分読取モードを制御部６０に指示するようになっている。なお、「戻る」ボタンが選択された場合、制御部６０は、パネルＰの表示を図４に示した状態とし、Ｓ２１の処理を行う。
【００９７】
次に、制御部６０は、インデックス処理モードが選択されたか否かを判断する（Ｓ２３）。すなわち、制御部６０は、いずれの部分読取モードで行うかを判断する。なお、「入力ページ除外」および「入力ページ実行」が選択された場合は、実施例１で説明した通常の部分読取モードで部分読取を行うことになり、「インデックス処理」が選択された場合にはインデックス処理モードで部分読取を行うことになる。
【００９８】
そして、インデックス処理モードが選択された場合、制御部６０は、パネルＰに、図６（ｃ）に示した処理除外ページ入力画面を表示させる（Ｓ２４）。すなわち、使用者に、読み取り処理を行わないページ番号の入力を促す（使用者の操作を支援するための案内表示を行う）とともに、入力されたページ番号を表示する表示画面表示画面を表示させる。なお、使用者は、図４に示した入力キーＫを介して読み取り処理を行わないページ番号を入力できる。また、入力キーＫを介して入力されたページ番号は、処理除外ページ入力画面中に表示される。また、使用者は、読み取り処理を行わないページ番号を入力した後、処理除外ページ入力画面中に表示されている「ＯＫ」ボタンに触れることにより、制御部６０に読み取らないページを指示できるようになっている。
【００９９】
その後、制御部６０は、入力されたページ以外のシート（原稿）を読み取る処理を行わせる（Ｓ２５）。なお、制御部６０は、入力されなかったページについては、画像読取部３による画像の読み取りを停止した状態で、シート搬送部２によってシートの搬送を行わせる。
【０１００】
次に、制御部６０は、第１排出トレイ７２を、第１排出トレイ７２の下流側が上流側に対して低くなる第２の設定位置（図２の破線位置）に設定する（Ｓ２６）。より詳細には、インデックス処理モードが選択された場合、制御部６０は、駆動モータ７４ａを回転させることにより、従動部７４ｂを介して、第１排出トレイ７２の取付角度を、第２の設定位置に変化させる。
【０１０１】
そして、制御部６０は、シート搬送部２によって搬送されたシートを第２の設定位置に設定された第１排出トレイ７２に排出させる（Ｓ２７）。
【０１０２】
なお、画像形成装置１では、シート供給トレイ６１に、例えば図９に示すようなインデックス（タブ）付きシートを含む書類束を載置する場合、タブ部分が用紙の搬送方向下流側になるように載置するようになっている。そして、画像形成装置１では、インデックス（タブ）付きシートと通常のインデックス（タブ）のないシートとが混在する書類束を処理する場合、シート搬送部２によって搬送したシートを、第２の設定位置に設定した第１排出トレイ７２に排出することにより、排出後のインデックス（タブ）付きシートの先端部（タブが形成された側面とは反対側の側面）と、通常のシートの先端部（側面）とを揃えて載置することができるようになっている。
その後、制御部６０は、読み取ったページを出力させ（Ｓ２８）、処理を終了する。
【０１０３】
一方、Ｓ２３において、インデックス処理モードが選択されなかった場合、制御部６０は、入力ページ実行が選択されたか否かを判断する（Ｓ２９）。すなわち、制御部６０は、「入力ページ除外」ボタン、「入力ページ実行」ボタンのいずれが選択されたかを判断する。
【０１０４】
そして、入力ページ実行が選択された場合、制御部６０は、パネルＰに、図６（ｂ）に示すような処理ページ入力画面、すなわち使用者に読み取り処理を行うページ番号の入力を促す（使用者の操作を支援するための案内表示を行う）とともに、入力されたページ番号を表示する表示画面を表示させる（Ｓ３０）。なお、使用者は、図４に示した入力キーＫを介して読み取り処理を行うページ番号を入力できる。また、入力キーＫを介して入力されたページ番号は、処理ページ入力画面中に表示される。また、使用者は、読み取り処理を行うページ番号を入力した後、処理ページ入力画面中に表示されている「ＯＫ」ボタンに触れることにより、制御部６０に読み取るページを指示できるようになっている。
【０１０５】
その後、制御部６０は、入力されたページのシート（原稿）を読み取る処理を行わせる（Ｓ３１）。なお、制御部６０は、入力されなかったページについては、画像読取部３による画像の読み取りを停止した状態で、シート搬送部２によってシートの搬送を行わせる。また、制御部６０は、シート搬送部２によって搬送したシートを第１排出トレイ７２または第２排出トレイ７３に排出させる（Ｓ３２）。そして、制御部６０は、読み取ったページを出力させ（Ｓ２８）、処理を終了する。
【０１０６】
また、Ｓ２９において、入力ページ除外が選択された場合、制御部６０は、パネルＰに、図６（ｃ）に示すような処理除外ページ入力画面、すなわち使用者に読み取り処理を行わないページ番号の入力を促す（使用者の操作を支援するための案内表示を行う）とともに、入力されたページ番号を表示する表示画面を表示させる（Ｓ３３）。なお、使用者は、図４に示した入力キーＫを介して読み取り処理を行わないページ番号を入力できる。また、入力キーＫを介して入力されたページ番号は、処理ページ入力画面中に表示される。また、使用者は、読み取り処理を行わないページ番号を入力した後、処理ページ入力画面中に表示されている「ＯＫ」ボタンに触れることにより、制御部６０に読み取りを行わないページを指示できるようになっている。
【０１０７】
その後、制御部６０は、入力されたページ以外のシート（原稿）を読み取る処理を行わせる（Ｓ３４）。なお、制御部６０は、入力されなかったページについては、画像読取部３による画像の読み取りを停止した状態で、シート搬送部２によってシートの搬送を行わせる。また、制御部６０は、シート搬送部２によって搬送したシートを第１排出トレイ７２または第２排出トレイ７３に排出させる（Ｓ３２）。そして、制御部６０は、読み取ったページを出力させ（Ｓ２８）、処理を終了する。
【０１０８】
また、Ｓ２１において、部分読取モードが選択されなかった場合、制御部６０は、シート供給トレイ６１に載置されたシート（原稿）を全て読み取らせ（Ｓ３５）、第１排出トレイ７２または第２排出トレイ７３に排出させる（Ｓ３２）。そして、読み取ったページを出力させ（Ｓ２８）、処理を終了する。
【０１０９】
以上のように、本発明の画像形成装置によれば、インデックス処理モードが選択された場合には、インデックス（タブ）付きシートを除外して読み取りを行うように、予め設定されている。通常、インデックス（タブ）付きシートを含む書類束では、インデックス（タブ）付きシートよりも通常のシートの方が、ページ数が多い。このため、インデックス処理モードが選択された場合に、部分処理のページ入力方法（入力ページ処理）が「入力ページ除外」になるように設定しておくことにより、読み取り処理に対する使用者の負担をより軽減できる。
【０１１０】
また、本実施例では、インデックス処理モードが選択された場合に、第１排出トレイ７２を、第１排出トレイ７２の下流側が上流側に対して低くなる第２の設定位置（図２の破線位置）に移動させるようになっている。また、画像形成装置１では、シート供給トレイ６１に、インデックス（タブ）付きシートを含む書類束を載置する場合、タブ部分が用紙の搬送方向下流側になるように載置するようになっている。このため、シート搬送部２による搬送後のシートを第１排出トレイ７２に排出することで、排出後のインデックス（タブ）付きシートの先端部（タブが形成された側面とは反対側の側面）と、通常のシートの先端部（側面）とを揃えて載置することができるようになっている。
【０１１１】
なお、本実施例では、インデックス処理モードが選択された場合に、シート搬送部２によって搬送したシートを第１排出トレイ７２に排出するものとしたが、これに限るものではない。例えば、搬送ベルト６９によって搬送したシートを再度搬送ベルト６９方向にスイッチバックさせるスイッチバック手段を設けるとともに、スイッチバックさせたシートを、第２排出トレイ７３に排出するようにしてもよい。この場合にも、排出後のインデックス（タブ）付きシートの先端部と、通常のシートの先端部とを揃えて載置することができる。
【０１１２】
搬送ベルト６９によって搬送したシートをスイッチバックさせる手段として、例えば、図１１に示すような排出切替フラッパ７７を設けてもよい。この排出切替フラッパ７７は、反転ローラ７１および反転切換フラッパ７０と協働することにより、搬送ベルト６９により搬送されたシートを、再度搬送ベルト６９方向にスイッチバックさせる装置である。より詳しくは、排出切換フラッパ７７は、移動可能に構成されており、第３の切換位置（図１１の実線位置）をとることによりシートをスイッチバックでき、第４の切換位置（図１１の破線位置）をとることにより第２排出トレイ７３にシートを排出可能となっている。なお、スイッチバックを行う場合には、反転切換フラッパ７０が、第２の切換位置となっているものとする。
【０１１３】
また、上記のスイッチバックでは、反転ローラ７１を用いているため、シートの表裏がスイッチバックの実施前後で入れ替わる。さらに、スイッチバックが行われると、再度、シートが搬送ベルト６９に達するが、この際には、搬送ベルト６９の動作方向を逆転させて、一旦、シートを図１１のＢ方向に搬送する。そして、シートのスイッチバックが完全に行われた後、搬送ベルト６９の動作方向を再度逆転させて、シートを図１１のＦ方向に搬送させる。
【０１１４】
また、インデックス（タブ）付きシートの先端部と、通常のシートの先端部とを揃える必要がない場合には、第１排出トレイ７２および第２排出トレイ７３のいずれに排出してもよく、また、第１排出トレイ７２の設定位置を第１の設定位置および第２の設定位置のいずれに設定してもよい。
【０１１５】
また、本実施例では、実施例１と同様、通常の部分読取モードを行う場合に、原稿の読み取りを行うページまたは原稿の読み取りを行わないページのいずれを入力するかを、使用者が選択することができる。
【０１１６】
このため、例えば、読み取り処理するページと読み取り処理しないページとの比率に応じて、それに適したページ入力方法を選択できる。したがって、読み取り処理するページが読み取り処理しないページよりも多い場合であっても、逆に、読み取り処理するページが読み取り処理しないページよりも少ない場合であっても、ページ入力作業にかかる使用者の負担を軽減できる。
【０１１７】
なお、本実施例では、部分読取モードとして通常の部分読取モードとインデックス処理モードとを含む場合について説明したが、これに限るものではない。例えば、図１０（ａ）および図１０（ｂ）に示すように、白黒原稿とカラー原稿とが混在する書類束を処理する場合に、原稿の読み取りを行うページまたは原稿の読み取りを行わないページのいずれを入力するかを予め設定した「カラー原稿混在モード」を設けてもよい。
【０１１８】
なお、「カラー原稿混在モード」が選択されたときに採用されるページ入力方法（入力ページ処理）は、使用者によって変更可能にしてもよい。この場合、例えば、図１０（ａ）のように書類束中のカラー原稿のページ数が白黒原稿のページ数よりも少ない書類束を処理する頻度が高く、しかも、このような書類束のうち白黒原稿のみを読み取る処理を行う頻度が多い使用環境の場合、使用者は、読取処理しないページのページ番号を入力するように設定しておくことで、ページ入力にかかる負担を軽減できる。
【０１１９】
逆に、図１０（ｂ）のように書類束中のカラー原稿のページ数が白黒原稿のページ数よりも多い書類束を処理する頻度が高く、しかも、このような書類束のうち白黒原稿のみを読み取る処理を行う頻度が多い使用環境の場合には、使用者は、読取処理するページのページ番号を入力するように設定しておくことで、ページ入力にかかる負担を軽減できる。
【０１２０】
また、本発明は、複写機に限らず、原稿を読み取るあらゆる画像読取装置およびそれを備えた画像形成装置に適用できる。例えば、読み取った画像を、電話回線等を用いて送信するＦＡＸに適用してもよい。あるいは、写真や写真フィルムの画像を読み取るって出力する写真読取装置（画像読取装置）および写真プリンタ（画像形成装置）に適用してもよい。あるいは、読み取った画像をパーソナルコンピュータ等の情報処理装置に取り込むためのスキャナ（画像読取装置）に適用してもよい。この場合、スキャナ、パーソナルコンピュータ、および、読み取った画像を表示する表示装置や読み取った画像を印刷する印刷装置等によって画像形成装置を構成することになる。
【０１２１】
また、上記の説明では、画像形成装置１における全ての処理を、制御部６０の制御により行うとしている。しかしながら、これに限らず、これらの処理を行うためのプログラムを記録媒体に記録し、このプログラムを読み出すことのできる情報処理装置を、制御部６０に代えて用いるようにしてもよい。
【０１２２】
この構成では、情報処理装置の演算装置（ＣＰＵやＭＰＵ）が、記録媒体に記録されているプログラムを読み出して処理を実行する。従って、このプログラム自体が処理を実現するといえる。
【０１２３】
ここで、上記の情報処理装置としては、一般的なコンピューター（ワークステーションやパソコン）の他に、コンピューターに装着される、機能拡張ボードや機能拡張ユニットを用いることができる。
【０１２４】
また、上記のプログラムとは、処理を実現するソフトウェアのプログラムコード（実行形式プログラム，中間コードプログラム，ソースプログラム等）のことである。このプログラムは、単体で使用されるものでも、他のプログラム（ＯＳ等）と組み合わせて用いられるものでもよい。また、このプログラムは、記録媒体から読み出された後、装置内のメモリー（ＲＡＭ等）にいったん記憶され、その後再び読み出されて実行されるようなものでもよい。
【０１２５】
また、プログラムを記録させる記録媒体は、情報処理装置と容易に分離できるものでもよいし、装置に固定（装着）されるものでもよい。さらに、外部記憶機器として装置に接続するものでもよい。
【０１２６】
このような記録媒体としては、ビデオテープやカセットテープ等の磁気テープ、フロッピー（登録商標）ディスクやハードディスク等の磁気ディスク、ＣＤ−ＲＯＭ，ＭＯ，ＭＤ，ＤＶＤ，ＣＤ−Ｒ等の光ディスク（光磁気ディスク）、ＩＣカード，光カード等のメモリカード、マスクＲＯＭ，ＥＰＲＯＭ，ＥＥＰＲＯＭ，フラッシュＲＯＭ等の半導体メモリーなどを適用できる。
【０１２７】
また、ネットワーク（イントラネット・インターネット等）を介して情報処理装置と接続されている記録媒体を用いてもよい。この場合、情報処理装置は、ネットワークを介するダウンロードによりプログラムを取得する。すなわち、上記のプログラムを、ネットワーク（有線回線あるいは無線回線に接続されたもの）等の伝送媒体（流動的にプログラムを保持する媒体）を介して取得するようにしてもよい。なお、ダウンロードを行うためのプログラムは、装置内（あるいは送信側装置・受信側装置内）にあらかじめ記憶されていることが好ましい。
【０１２８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１２９】
本発明の画像読取装置、画像形成装置、画像読取方法、およびそれを備えた画像形成装置は、複写機やＦＡＸ、写真読取装置、スキャナなど、原稿の画像を読み取るさまざまな装置に適用できる。
【図面の簡単な説明】
【０１３０】
【図１】本発明の一実施の形態にかかる画像形成装置における、処理の流れの一実施例を示すフロー図である。
【図２】本発明の一実施の形態にかかる画像形成装置の概略構成を示す断面図である。
【図３】本発明の位置実施の形態にかかる画像形成装置の機能ブロック図である。
【図４】本発明の一実施の形態にかかる画像形成装置における操作部の平面図である。
【図５】本発明の一実施の形態にかかる画像形成装置におけるシート搬送装置の断面図である。
【図６】（ａ）は、本発明の一実施の形態にかかる画像形成装置における、ページ入力選択画面を示す平面図である。（ｂ）は、本発明の一実施の形態にかかる画像形成装置における、処理ページ入力画面を示す平面図である。（ｃ）は、本発明の一実施の形態にかかる画像形成装置における、処理除外ページ入力画面を示す平面図である。
【図７】本発明の一実施の形態にかかる画像形成装置における、処理の流れの他の実施例を示すフロー図である。
【図８】本発明の一実施の形態にかかる画像形成装置における、部分処理内容選択画面を示す平面図である。
【図９】インデックス（タブ）付きシートを含む書類束を示す斜視図である。。
【図１０】（ａ）および（ｂ）は、は白黒原稿とカラー原稿とが混在する書類束の例を示す斜視図である。
【図１１】本発明の一実施の形態にかかる画像形成装置において、シートをスイッチバックさせるスイッチバック手段を備える場合の構成例を示す断面図である。
【符号の説明】
【０１３１】
１  画像形成装置
２  シート搬送部（搬送手段）
３  画像読取部（読取手段）
４  画像形成部
５  操作部
６  給紙部
７  記憶部（記憶手段）
５２  操作入力部（入力手段）
５３  表示部（表示手段）
６０  制御部
６１  シート供給トレイ
７２  第１排出トレイ
７３  第２排出トレイ
７７  排出切替フラッパ
Ｋ  入力キー（入力手段）
Ｐ  パネル（表示手段、入力手段）
【図１】
2005303901.tif 000003
【図２】
2005303901.tif 000004
【図３】
2005303901.tif 000005
【図４】
2005303901.tif 000006
【図５】
2005303901.tif 000007
【図６】
2005303901.tif 000008
【図７】
2005303901.tif 000009
【図８】
2005303901.tif 000010
【図９】
2005303901.tif 000011
【図１０】
2005303901.tif 000012
【図１１】
2005303901.tif 000013